(57)【特許請求の範囲】
【請求項１】
上部フレームと底部と相対するはね上げ側壁と相対する分割側壁とを有するとともに、分割側壁は、上部分割側壁と下部分割側壁とから構成され、また、一方の分割側壁には、上部分割扉と下部分割扉とが配設されている折り畳みコンテナーにおいて、上部分割扉の上端部に形成されたロック部材収容空間に、水平方向に移動可能に収容されたロック部材と、上部分割側壁の水平枠に形成された係止部材とを有し、上部分割扉に配設されたロック部材と上部分割側壁に配設された係止部材とがロック状態においては、上記係止部材の水平板が、上記フック部材を構成する天板に接近して下方に位置するように構成されていることを特徴とする折り畳みコンテナー。
【請求項２】
上部分割扉にサイドロック部材を配設するとともに、上部分割側壁の側枠には、サイドロック部材のロック片が挿入可能な凹部が形成されていることを特徴とする請求項１に記載の折り畳みコンテナー。
【請求項３】
上部分割側壁に突設された嵌合突起が、上部分割扉に配設された嵌合枠に挿入されるように構成されていることを特徴とする請求項１又は請求項２に記載の折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、額縁状の上部フレームと底部との間に配設される４枚の側壁のうち、一方の相対する長側壁を，互いにヒンジ連結された上部分割側壁と下部分割側壁とにより構成し、そして，上部フレームの下端部と上部分割側壁の上端部及び下部分割側壁の下端部と底部とが，それぞれ，ヒンジ連結されており，また，もう一方の相対するはね上げ側壁と称される短側壁の上端部を上部フレームにヒンジ連結し、はね上げ側壁が，上方に回動可能に構成された折り畳みコンテナーが知られている。箱型に組み立てられた折り畳みコンテナーは、上部フレームにその上端部が枢着されたはね上げ側壁を、略垂直状態から、折り畳みコンテナーの内部方向に、略水平状態まで回動させ、次いで、長側壁を構成する上部分割側壁と下部分割側壁とを、ヒンジ連結部で折り畳むことにより、箱型に組み立てられた折り畳みコンテナーを、高さの低いコンパクトな状態に折り畳むことができるように構成されている。
【０００３】
上述した箱型に組み立てられた折り畳みコンテナーに収納されている物品を取り出したり、或いは，箱型に組み立てられた折り畳みコンテナーに物品を収納するために、上下に分割された上部分割側壁と下部分割側壁からなる長側壁に開口部を形成し，開口部に，同じく，上下に分割されているとともに，互いにヒンジ連結されている上部分割扉と下部分割扉とからなる扉部材を配設し，扉部材は，上部分割扉と上部分割側壁との間に配設されたロック部材により，上部分割側壁に対して係脱自在に構成されている折り畳みコンテナーが知られている（例えば、特公平５−２５７４３号公報，特開平１０−１１９９６４号公報等）。そして，ロック部材は，扉部材を構成する上部分割扉に配設された上下動可能な係止片と，上部分割側壁に形成された，前記係止片と係合する爪部等とから構成されており，上部分割扉に配設された係止片を下動させて，係止片を，上部分割側壁に形成された爪部等から外すことにより，上部分割側壁と扉部材とのロックを解除するように構成されている。
【０００４】
【発明が解決しようとする課題】
上述した従来の折り畳みコンテナーにおいては，上述したロック部材が，上部分割扉に配設された係止片を上下動させることにより，係止片を，上部分割側壁に形成された爪部等に係脱するように構成されているために，上部分割扉や下部分割扉に、上方から外力が加わり、上部分割扉や下部分割扉が下方に移動すると、上部分割扉に配設された係止片が下動し，上部分割側壁に形成された爪部等から外れ，扉部材を構成する上部分割扉と上部分割側壁とのロック状態が解除されて，従って、扉部材が開いて，折り畳みコンテナーに収納されている物品が排出するという問題があった。また、上部分割扉や下部分割扉に、収納されている物品の重量等により外力が加わり、上部分割扉が屈曲したりすると，上部分割扉に配設された係止片が，上部分割側壁に形成された爪部等から外れ，上部分割扉と上部分割側壁とのロック状態が解除されて，扉部材が開いて，折り畳みコンテナーに収納されている物品が排出するという問題があった。
【０００５】
また、上述した係止片を長くして、不用意なロック状態の解除を防止することも考えられるが、係止片が大きくなり、従って、収納された物品の視認性が低下するという問題が生じるとともに、係止片を大きく動かす必要があるため、ロック作業やロック解除作業の作業性が悪くなるという問題があった。
【０００６】
本発明の目的は，上述した従来の折り畳みコンテナーが有する課題を解決することにある。
【０００７】
【課題を解決するための手段】
本発明は、上述した目的を達成するために、上部フレームと底部と相対するはね上げ側壁と相対する分割側壁とを有するとともに、分割側壁は、上部分割側壁と下部分割側壁とから構成され、また、一方の分割側壁には、上部分割扉と下部分割扉とが配設されている折り畳みコンテナーにおいて、第１には、上部分割扉の上端部に形成されたロック部材収容空間に、水平方向に移動可能に収容されたロック部材と、上部分割側壁の水平枠に形成された係止部材とを有し、上部分割扉に配設されたロック部材と上部分割側壁に配設された係止部材とがロック状態においては、上記係止部材の水平板が、上記フック部材を構成する天板に接近して下方に位置するように構成したものであり、第２には、上部分割扉にサイドロック部材を配設するとともに、上部分割側壁の側枠には、サイドロック部材のロック片が挿入可能な凹部が形成されているものであり、第３には、上部分割側壁に突設された嵌合突起が、上部分割扉に配設された嵌合枠に挿入されるように構成されているものである。
【０００８】
【実施例】
以下に、本発明の実施例について説明するが、本発明の趣旨を越えない限り何ら、本実施例に限定されるものではない。
【０００９】
先ず最初に、本発明の折り畳みコンテナーの斜視図である図１を用いて全体構成について説明する。
【００１０】
折り畳みコンテナーは、上部フレーム１と、底部２と、上部フレーム１の相対する短辺部１ａに、その上端部が枢支された、折り畳みコンテナーの内側方向に回動可能に構成された側壁（以下、この側壁を「はね上げ側壁」という。）３とを有している。また、上部フレーム１の相対する長辺部１ｂの一方には、上下に分割されているとともにヒンジ連結された上部分割側壁４’と下部分割側壁４”とからなる側壁（以下、この側壁を、分割側壁という。）４が配設されている。上部フレーム１の相対する長辺部１ｂのもう一方にも、上部分割側壁５’と下部分割側壁５”とからなる分割側壁５が配設されている。上部分割側壁４’５’の上部と上部フレーム１の長辺部１ｂとは、それぞれ、ヒンジ連結されており、また、下部分割側壁４”、５”と底部２の長辺部２ａとも、それぞれ、ヒンジ連結されている。また、もう一方の分割側壁５を形成する上部分割側壁５’と下部分割側壁５”には、後述するように窓部が形成されており、窓部には、互いにヒンジ連結された上部分割扉６’と下部分割扉６”とが配設されており、上部分割扉６’は、後述するロック部材により、上部分割側壁５’にロックされるように構成されており、下部分割扉６”の下部は、下部分割側壁５”にヒンジ連結されている。
【００１１】
図１に示されている箱型に組み立てられた折り畳みコンテナーの略垂直状のはね上げ側壁３を、図２に示されているように、折り畳みコンテナーの内部方向に回動させて、略水平状態とし、次いで、一方の分割短側壁４を構成する上部分割側壁４’と下部分割側壁４”を連結しているヒンジ部及びもう一方の分割側壁５を構成する上部分割側壁５’と下部分割側壁５”を連結しているヒンジ部を、折り畳みコンテナーの内部方向に移動させて、上部分割側壁４’、５’と下部分割側壁４”、５”  とを、それぞれ、重ねることにより、箱型に組み立てられている折り畳みコンテナーを、図３に示されているように、高さの低いコンパクトな状態に折り畳むことができるように構成されている。
【００１２】
次に、主として、図４〜図１１を用いて、ヒンジ連結された上部分割扉６’と下部分割扉６”とを有する上部分割側壁５’及び下部分割側壁５”とからなる分割側壁５について詳細に説明する。
【００１３】
上部分割側壁５’は、上部枠５ａと、上部枠５ａの両端部から下方に延在する側枠５ｂとからなる略逆Ｕ字状に形成されており、また、下部分割側壁５”は、下部枠５ｃと、下部枠５ｃの両端部から上方に延在する側枠５ｄとからなる略Ｕ字状に形成されている。上部分割側壁５’の上部枠５ａは、上部フレーム１の長辺部１ｂとは、公知のように、適当なヒンジ部材によりヒンジ連結されており、また、下部分割側壁５”の下部枠５ｃと底部２の長辺部２ａとは、公知のように、適当なヒンジ部材によりヒンジ連結されている。そして、上部分割側壁５’の側枠５ｂの端部と、下部分割側壁５”の側枠５ｄの端部とは、適当なヒンジ部材Ｈ１によりヒンジ連結されている。
【００１４】
上部分割扉６’の下部と下部分割扉６”の上部とは、一例として後述する適当なヒンジ部材Ｈ２’、Ｈ２”によりヒンジ連結されており、また、下部分割扉６”の下部は、一例として後述する適当なヒンジ部材Ｈ３’、Ｈ３”により、下部分割側壁５”の下部枠５ｃにヒンジ連結されている。
【００１５】
上部分割扉６’は、横長の略長方形状の板部６ａと、板部６ａの上端の両端部付近に、所定の間隔を置いて形成された、板部６ａに垂直に外側に延在する一対の上部水平枠６ｂと、板部６ａの左右端から、同じく、板部６ａに垂直に外側に延在する端部垂直枠６ｃと、板部６ａの下端から、同じく、板部６ａに垂直に外側に延在する下部水平枠６ｄと、下部水平枠６ｄの先端から、下部水平枠６ｄに垂直に下方に延在する垂直帯板部６ｅと、垂直帯板部６ｅの下端から、垂直帯板部６ｅに垂直に板部６ａ方向に延在する水平帯板部６ｆとを有している。上部分割扉６’には、水平帯板部６ｆの両端部付近を、上方に凹ませることにより切り欠き部６ｇが形成されており、また、垂直帯板部６ｅを、若干、凹ませた凹部６ｈが、複数、形成されている。
【００１６】
上部分割扉６’の上部水平枠６ｂの相対する端部からは、下方に垂下された側板６ｉ１が形成されており、側板６ｉ１の下端には、下端同士を連結する底板６ｉ２が形成されており、また、側板６ｉ１と底板６ｉ２とは、前板６ｉ３により連結されている。そして、板部６ａと側板６ｉ１と底板６ｉ２と前板６ｉ３とにより、後述する第１ロック部材Ｋ１が収容可能なロック部材収容空間Ｓ１が形成されている。６ｊは、上部水平枠６ｂの上面に配設された略逆Ｕ字状の嵌合枠である。
【００１７】
６ｋは、上部分割扉６’の端部垂直枠６ｃ付近に形成された上下方向に配置されているとともに、一端が端部垂直枠６ｃに連結された水平板部６ｋ１と、水平板部６ｋ１のもう一端を連結する垂直板部６ｋ２と、一対の水平板部６ｋ１間に連接された中間垂直板部６ｋ３とからなる、後述するサイドロック部材Ｋ２が収容可能なサイドロック収容枠部材である。中間垂直板部６ｋ３と板部６ａとの間には、所定のスリット６ｋ４が形成されており、また、端部垂直枠６ｃにも、後述するサイドロック部材Ｋ２が挿入可能な縦長溝６ｃ１が穿設されている。
【００１８】
また、上部分割扉６’の上端から所定の高さだけ、板部６ａの内壁面（折り畳みコンテナーを組み立てた際に、折り畳みコンテナーの内側に位置する面）６ａ１を凹ませて段部６ａ２を形成するとともに、段部６ａ２より上方に位置する端部垂直枠６ｃの幅（板部６ａに対して垂直方向の長さ）ｗ１を狭くすることにより、上部分割扉６’の上部には、薄肉部６ｍが形成されている。なお、上部分割扉６’の板部６ａの内壁面６ａ１は、突起等のない平滑な面に形成されていることが好ましく、また、板部６ａの外壁面６ａ３には、補強用の水平リブ６ｎや垂直リブ６ｐが、適宜、形成されている。
【００１９】
上部分割扉６’に形成されたロック部材収容空間Ｓ１に収容され、水平方向に移動可能な第１ロック部材Ｋ１は、正面形状が横長の基部ｋ１を有しており、基部ｋ１の中程には、所定の間隔を置いて一対の持ち手用縦リブｋ２が形成されている。基部ｋ１の上面の両端部付近には、上面に立設された背板ｋ３ａと、背板ｋ３ａの上端から、持ち手用縦リブｋ２と同じ方向に延在する天板ｋ３ｂと、側板ｋ３ｃとから構成されたフック部材ｋ３が形成されている。所定の間隔を置いて配設されたフック部材ｋ３は、前方が開放されているとともに、同じ向きの一方の側部が開放されている。また、ｋ４は、基部ｋ１の前面に突設された一対の嵌合突起である。このような構成を有する第１ロック部材Ｋ１は、図４や図５等に示されているように、ロック部材収容空間Ｓ１に収容されるが、ロック部材収容空間Ｓ１に収容された際には、基部ｋ１の前面に突設された一対の嵌合突起ｋ４が、ロック部材収容空間Ｓ１を形成する前板６ｉ３に形成された一対の横長スリット６ｉ４に挿入されるように構成されており、また、第１ロック部材Ｋ１の基部ｋ１に形成された持ち手用縦リブｋ２は、ロック部材収容空間Ｓ１を形成する前板６ｉ３に形成された凹部６ｉ５内に位置するように構成されている。
【００２０】
サイドロック収容枠部材６ｋ内に配置されるサイドロック部材Ｋ２は、板部ｋ１０ａと板部ｋ１０ａの周辺に形成された凸条ｋ１０ｂとからなる操作部ｋ１０を有しており、更に、中間垂直板部６ｋ３と板部６ａとの間に形成されたスリット６ｋ４に挿入されるとともに、その先端部が、端部垂直枠６ｃに形成された縦長溝６ｃ１から出没自在なロック片ｋ１１とを有している。中間垂直板部６ｋ３と板部６ａとの間に形成されたスリット６ｋ４に、サイドロック部材Ｋ２のロック片ｋ１１を挿入するとともに、操作部ｋ１０を、サイドロック収容枠部材６ｋの水平板部６ｋ１と垂直板部６ｋ２と中間垂直板部６ｋ３とにより囲まれる領域に配置することにより、サイドロック部材Ｋ２が、サイドロック収容枠部材６ｋ内に配置されるように構成されている。
【００２１】
ｈ１は、上部分割扉６’の切り欠き部６ｇが形成されている垂直帯板部６ｅ付近に配設された、ピンジピンｈ２が嵌入する水平孔ｈ１ａを有する下部ヒンジブロックであり、所定の間隔をおいて複数個、形成されている（本実施例には、２個の下部ヒンジブロックｈ１が形成されている。）。また、ｈ３は、垂直帯板部６ｅを、若干、凹ませた凹部６ｈ配設された、前方に割り溝ｈ３ａが形成された略円筒状の下部ヒンジ雌部である。
【００２２】
下部分割扉６”は、横長の略長方形状の板部６ｑと、板部６ｑの上端に連接された、板部６ｑの横幅より狭い横長帯状部６ｒと、板部６ｑの左右端から、板部６ｑに垂直に外側に延在する端部垂直枠６ｓと、板部６ｑの下端から、同じく、板部６ｑに垂直に外側に延在する下部水平枠６ｔとを有している。なお、下部分割扉６”の板部６ｑの内壁面（折り畳みコンテナーを組み立てた際に、折り畳みコンテナーの内側に位置する面）６ｑ１は、突起等のない平滑な面に形成されていることが好ましく、また、板部６ｑの外壁面６ｑ２には、補強用の水平リブ６ｕや垂直リブ６ｖが、適宜、形成されている。
【００２３】
横長帯状部６ｒの両側には、横長帯状部６ｒと板部６ｑとにより形成される切り欠き部６ｗが形成されており、切り欠き部６ｗに位置する板部６ｑの上部には、上述したピンジピンｈ２が嵌入する水平孔ｈ４ａを有する上部ヒンジブロックｈ４が、所定の間隔で、複数個、形成されている（本実施例には、２個の上部ヒンジブロックｈ４が形成されている。）。また、ｈ５は、横長帯状部６ｒの外壁面（折り畳みコンテナーを組み立てた際に、折り畳みコンテナーの外側に位置する面）に、所定の間隔を置いて形成された一対の支持片ｈ５ａと、一対の支持片ｈ５ａを架橋するピンｈ５ｂとからなる上部ヒンジ雄部であり、上部ヒンジ雄部ｈ５は、上述した上部分割扉６’に形成された下部ヒンジ雌部ｈ３に対応して配設されている。なお、６ｘは、隣り合う上部ヒンジ雄部ｈ５の支持片ｈ５ａ及び隣り合う支持片ｈ５ａと上部ヒンジブロックｈ４とを連結する連結水平板である。また、下部水平枠６ｔの下面の両端部には、上述した上部ヒンジブロックｈ４と同様の水平孔ｈ６ａを有する下部ヒンジブロックｈ６が垂設されており、更に、下部ヒンジブロックｈ６間に位置する下部水平枠６ｔの下面には、所定の間隔を置いて、上述した上部ヒンジ雄部ｈ５と同様の一対の支持片ｈ７ａと、一対の支持片ｈ７ａを架橋するピンｈ７ｂとからなる下部ヒンジ雄部ｈ７が形成されている。
【００２４】
上部分割扉６’と下部分割扉６”とは、図４や図５等に示されているように、上部分割扉６’の下部ヒンジブロックｈ１と下部分割扉６”の上部ヒンジブロックｈ４を交互に配置した後、上部分割扉６’の下部ヒンジブロックｈ１の水平孔ｈ１ａと下部分割扉６”の上部ヒンジブロックｈ４の水平孔ｈ４ａに、ヒンジピンｈ２を嵌入するとともに、上部分割扉６’の下部ヒンジ雌部ｈ３の割り溝ｈ３ａから、下部分割扉６”の上部ヒンジ雄部ｈ５のピンｈ５ｂを嵌入することにより、ヒンジ連結されるように構成されている。そして、上部分割扉６’の下部ヒンジブロックｈ１と下部分割扉６”の上部ヒンジブロックｈ４及び下部ヒンジブロックｈ１の水平孔ｈ１ａと上部ヒンジブロックｈ４の水平孔ｈ４ａに嵌入されるヒンジピンｈ２とにより、上部分割扉６’と下部分割扉６”を、その両端部でヒンジ連結するヒンジ部材Ｈ２’が構成されており、また、上部分割扉６’の下部ヒンジ雌部ｈ３と下部分割扉６”の上部ヒンジ雄部ｈ５とにより、上部分割扉６’と下部分割扉６”とを、ヒンジ部材Ｈ２’間においてヒンジ連結するヒンジ部材Ｈ２”が構成されている。
【００２５】
上部分割側壁５’の側枠５ｂの端部と下部分割側壁５”の側枠５ｄの端部とをヒンジ連結するヒンジ部材Ｈ１は、上述した上部分割扉６’の下部ヒンジブロックｈ１と下部分割扉６”の上部ヒンジブロックｈ４及び下部ヒンジブロックｈ１の水平孔ｈ１ａと上部ヒンジブロックｈ４の水平孔ｈ４ａに嵌入されるヒンジピンｈ２とからなるヒンジ部材Ｈ２’と同様の構成を有している。
【００２６】
下部分割側壁５”の下部枠５ｃの両端部の上部には、上述した下部分割扉６”の上部ヒンジブロックｈ４と同様のヒンジブロックｈ８が形成されており、また、ヒンジブロックｈ８間に位置する下部枠５ｃの上部には、上述した下部分割扉６”の下部ヒンジ雄部ｈ７に対応して、上述した上部分割扉６’に形成された下部ヒンジ雌部ｈ３と同様のヒンジ雌部ｈ９が形成されている。そして、上部分割扉６’と下部分割扉６”とのヒンジ連結と同様に、図４や図５等に示されているように、下部分割側壁５”のヒンジブロックｈ８と下部分割扉６”の下部ヒンジブロックｈ６を交互に配置した後、下部分割側壁５”のヒンジブロックｈ８の水平孔と下部分割扉６”の下部ヒンジブロックｈ６の水平孔ｈ６ａに、ヒンジピンｈ２を嵌入することにより、下部分割側壁５”と下部分割扉６”とを連結するヒンジ部材Ｈ３’が構成され、また、下部分割側壁５”のヒンジ雌部ｈ９の割り溝から、下部分割扉６”の下部ヒンジ雄部ｈ７のピンｈ７ｂを嵌入することにより、下部分割側壁５”と下部分割扉６”とをヒンジ連結するヒンジ部材Ｈ３”が構成されることになる。
【００２７】
上部分割側壁５’の上部枠５ａの外面部（折り畳みコンテナーを組み立てた際に、折り畳みコンテナーの外側に位置する部分）５ａ１には、上述した上部分割扉６’の上部水平枠６ｂの上面に配設された略逆Ｕ字状の嵌合枠６ｊに対応して、嵌合枠６ｊに挿入可能な嵌合突起７が突設されている。また、上部分割側壁５’の側枠５ｂの相対する側部には、上述したサイドロック部材Ｋ２のロック片ｋ１１が挿入可能な凹部８が形成されている。
【００２８】
上部分割側壁５’の上部枠５ａに形成された適当な水平枠５ｅには、上述した第１ロック部材Ｋ１の基部ｋ１の上面に形成された背板ｋ３ａと天板ｋ３ｂと側板ｋ３ｃとからなる一対のフック部材ｋ３と同じ間隔で、一対の係止部材９が形成されている。係止部材９は、水平枠５ｅの先端部付近から垂下された前板９ａと、前板９ａの下端から内側方向に延在する水平板９ｂと、側板９ｃとから形成されており、係止部材９は、同じ向きの一方の側部が開放されている。上述した上部分割扉６’に形成されたロック部材収容空間Ｓ１に収容された第１ロック部材Ｋ１の一対のフック部材ｋ３と、上部分割側壁５’の上部枠５ａに形成された一対の係止部材９とは、それぞれ、開放された側部が対向するように配置されている。
【００２９】
図１に示されているように、折り畳みコンテナーが、箱型に組み立てられた状態においては、上部分割扉６’と下部分割扉６”とは、略面一状態に並設されており、上部分割扉６’に形成されたロック部材収容空間Ｓ１に収容された第１ロック部材Ｋ１の一対のフック部材ｋ３と、上部分割側壁５’の上部枠５ａの水平枠５ｅに形成された一対の係止部材９とはロック状態にある。即ち、上部分割扉６’に配設された第１ロック部材Ｋ１のフック部材ｋ３を構成する背板ｋ３ａと、上部分割側壁５’の上部枠５ａに配設された係止部材９を構成する前板９ａとが対向するように配置されているとともに、フック部材ｋ３を構成する背板ｋ３ａが、係止部材９の水平板９ｂと、上部分割側壁５’の上部枠５ａの外面部５ａ１との間に形成された間隙に挿入されており、また、第１ロック部材Ｋ１のフック部材ｋ３を構成する天板ｋ３ｂと、天板ｋ３ｂに接近して下方に位置する係止部材９の水平板９ｂとは、平面的に見て、一部が重なるように構成されている。上記のように、第１ロック部材Ｋ１のフック部材ｋ３を構成する天板ｋ３ｂと、天板ｋ３ｂに接近して下方に位置する係止部材９の水平板９ｂとが、平面的に見て、一部が重なるように構成されているので、上部分割扉６’に、上方からの外力が加わっても、或いは、折り畳みコンテナーの内側からの内圧が加わっても、上部分割扉６’に配設された第１ロック部材Ｋ１を構成する天板ｋ３ｂが、上部分割側壁５’に配設された係止部材９の水平板９ｂに係合するので、上部分割扉６’と上部分割側壁５’とのロック状態が簡単に解除されるようなことがなく、従って、不用意に、上部分割扉６’や下部分割扉６”が開くようなことが防止できる。
【００３０】
また、折り畳みコンテナーが、箱型に組み立てられた状態においては、上部分割側壁５’の上部枠５ａの外部に突設された嵌合突起７が、上部分割扉６’の上部水平枠６ｂの上面に配設された略逆Ｕ字状の嵌合枠６ｊに挿入されるように構成されているので、上部分割扉６’に、上方或いはずれ等の横方向から外力が加わっても、上述した上部分割扉６’に配設された第１ロック部材Ｋ１と上部分割側壁５’に配設された係止部材９とのロック機構と相まって、上部分割扉６’と上部分割側壁５’とのロック状態が解除されるようなことが防止でき、従って、不用意に、上部分割扉６’や下部分割扉６”が開くようなことが確実に防止できる。
【００３１】
また、図７に示されているように、第１ロック部材Ｋ１の基部ｋ１の角部に、水平方向に延在する、下面に突起ｋ５ａが突設されている弾性舌片ｋ５を形成するとともに、上部分割扉６’の底板６ｉ２には、弾性舌片ｋ５の下面に突設された突起ｋ５ａが嵌入可能な凹部或いは孔６ｉ６を、所定の間隔を置いて２個形成することもできる。そして、第１ロック部材Ｋ１のフック部材ｋ３と上部分割側壁５’の係止部材９とによるロック状態においては、弾性舌片ｋ５の下面に突設された突起ｋ５ａが、底板６ｉ２に形成された一方の凹部或いは孔６ｉ６に嵌入し、第１ロック部材Ｋ１の移動を抑制するように構成されており、従って、不用意なロック状態の解除を防止することができる。また、第１ロック部材Ｋ１のフック部材ｋ３と上部分割側壁５’の係止部材９とによるロック状態の解除の際には、突起ｋ５ａが、底板６ｉ２に形成されたもう一方の凹部或いは孔６ｉ６に嵌入し、第１ロック部材Ｋ１が移動しないように構成されている。
【００３２】
更に、折り畳みコンテナーが、箱型に組み立てられた状態においては、上部分割側壁５’の側枠５ｂに形成された凹部８に、上部分割扉６’に配設されたサイドロック部材Ｋ２のロック片ｋ１１が挿入されているので、折り畳みコンテナーに収納された物品により、上部分割扉６’や下部分割扉６”に内圧がかかっても、上部分割扉６’が大きく外側に膨らむようなことが防止できるとともに、上述した上部分割扉６’配設された第１ロック部材Ｋ１と上部分割側壁５’に配設された係止部材９とによるロック機構と相まって、不用意に、上部分割扉６’や下部分割扉６”が開くようなことが確実に防止できる。
【００３３】
上述したロック状態から、上部分割扉６’に形成されたロック部材収容空間Ｓ１に収容された第１ロック部材Ｋ１の持ち手用縦リブｋ２を持って、第１ロック部材Ｋ１を、上部分割側壁５’に配設された係止部材９から遠ざける方向、即ち、図４や図５において、右方向に移動させて、第１ロック部材Ｋ１のフック部材ｋ３を構成する天板ｋ３ｂと、係止部材９の水平板９ｂとの重合状態を解除することにより、上部分割扉６’に配設された第１ロック部材Ｋ１と上部分割側壁５’に配設された係止部材９とのロック状態が解除されることになる。また、上部分割扉６’に配設されたサイドロック部材Ｋ２を、操作部ｋ１０を持って、中央部方向に移動させることにより、上部分割側壁５’の側枠５ｂに形成された凹部８から、サイドロック部材Ｋ２のロック片ｋ１１を排出させて、上部分割扉６’に配設されたサイドロック部材Ｋ２と上部分割側壁５’の側枠５ｂに形成された凹部８とによるロック状態を解除する。その後、上部分割扉６’を、上部分割扉６’と下部分割扉６”とをヒンジ連結しているヒンジ部材Ｈ２’、Ｈ２”を中心に、外側に回動させることにより、上部分割側壁５’の上部枠５ａに突設された嵌合突起７から、上部分割扉６’の上部水平枠６ｂに配設された嵌合枠６ｊを外して、上部分割扉６’を、下部分割扉６”に重ねる。その後、互いに重ねられた上部分割扉６’と下部分割扉６”とを、下部分割扉６”と下部分割側壁５”の下部枠５ｃとをヒンジ連結しているヒンジ部材Ｈ３’、Ｈ３”を中心に外側に回動させることにより、上部分割扉６’と下部分割扉６”とを、図１３及び図１４に示されているように、開けることができる。
【００３４】
上部分割扉６’と下部分割扉６”とが、図１３及び図１４に示されているように、開けられた状態においては、図１４に示されているように、重ねられた状態の上部分割扉６’と下部分割扉６”のうち、上部分割扉６’の板部６ａの内壁面６ａ１が、下部分割側壁５”の下部枠５ｃと当接して、重ねられた状態の上部分割扉６’と下部分割扉６”とが、略垂直状態で略面一な上部分割側壁５’と下部分割側壁５”に対して、所定の角度θ、傾斜することになる。この傾斜角度θが、大きいほど、換言すれば、重ねられた状態の上部分割扉６’と下部分割扉６”とが、略垂直状態になるほど、略垂直状態で略面一な上部分割側壁５’と下部分割側壁５”から、重ねられた状態の上部分割扉６’と下部分割扉６”の先端Ｐまでの距離Ｄが短くなり、箱型に組み立てられた折り畳みコンテナーに収納されている物品を取り出したり、或いは，箱型に組み立てられた折り畳みコンテナーに物品を収納する作業を行う作業者が、折り畳みコンテナーに近づくことができ、従って、物品の出し入れ作業が容易になる。本実施例においては、重ねられた状態の上部分割扉６’と下部分割扉６”のうち、下部分割側壁５”の下部枠５ｃに当接する上部分割扉６’の上部には、上述したように、薄肉部６ｍが形成されているので、重ねられた状態の上部分割扉６’と下部分割扉６”とがより大きく回動し、従って、上記の傾斜角度θがより大きくなり、よって、略垂直状態で略面一な上部分割側壁５’と下部分割側壁５”から、重ねられた状態の上部分割扉６’と下部分割扉６”の先端Ｐまでの距離Ｄが短くなり、作業者が、折り畳みコンテナーにより近づくことができるので、物品の出し入れ作業の作業性が向上することになる。
【００３５】
また、上述したように、上部分割扉６’と下部分割扉６”とを開ける場合には、上部分割扉６’を、下部分割扉６”に重ねることになるが、この際、上部分割扉６’に配設されたサイドロック収容枠部材６ｋやロック部材収容空間Ｓ１を形成する側板６ｉ１や前板６ｉ３等の上部分割扉６’の板部６ａの外壁面６ａ３から外側に突出した突出部が、下部分割扉６”の板部６ｑに形成された補強用の水平リブ６ｕや垂直リブ６ｖに当接し、上部分割扉６’と下部分割扉６”とが完全に重なり合わないことがある。このような問題を解決するために、本実施例においては、上述した上部分割扉６’の板部６ａの外壁面６ａ３から外側に突出した突出部が、下部分割扉６”の板部６ｑに形成された水平リブ６ｕや垂直リブ６ｖに当接する場合には、水平リブ６ｕや垂直リブ６ｖの板部６ｑの外壁面（折り畳みコンテナーを組み立てた際に、折り畳みコンテナーの外側に位置する面）６ｑ２からの高さｗ２を低くすることにより、水平リブ６ｕや垂直リブ６ｖに凹部６ｖ１を形成して、上部分割扉６’の板部６ａから外側に突出した突出部が、下部分割扉６”の板部６ｑに形成された水平リブ６ｕや垂直リブ６ｖに当接しないように構成されている。なお、本実施例には、垂直リブ６ｖに、凹部６ｖ１が形成されている例が示されている。
【００３６】
次に、図１１及び図１２を用いて、上部分割扉６’と下部分割扉６”とのヒンジ部付近における係合構造について説明する。
【００３７】
上述したように、上部分割扉６’と下部分割扉６”とは、上部分割扉６’の下部ヒンジブロックｈ１と下部分割扉６”の上部ヒンジブロックｈ４を交互に配置した後、上部分割扉６’の下部ヒンジブロックｈ１の水平孔ｈ１ａと下部分割扉６”の上部ヒンジブロックｈ４の水平孔ｈ４ａに、ヒンジピンｈ２を嵌入するとともに、上部分割扉６’の下部ヒンジ雌部ｈ３の割り溝ｈ３ａから、下部分割扉６”の上部ヒンジ雄部ｈ５のピンｈ５ｂを嵌入することにより、ヒンジ連結されている。また、上部分割扉６’の板部６ａの下部には、下部水平枠６ｄと、下部水平枠６ｄの先端から下方に延在する垂直帯板部６ｅと、垂直帯板部６ｅの下端から板部６ａ方向に延在する水平帯板部６ｆとが形成されている。そして、図１１に示されているように、折り畳みコンテナーが箱型に組み立てられ、且つ、上部分割扉６’と下部分割扉６”とが、略面一状態に並設された状態においては、下部分割扉６”の連結水平板６ｘは、上部分割扉６’の水平帯板部６ｆの下方に接近して配置され、また、下部分割扉６”の横長帯状部６ｒの上端から外側に延在する巾狭の水平枠６ｒ１は、上部分割扉６’の下部水平枠６ｄの下方に接近して配置され、更に、下部分割扉６”の横長帯状部６ｒと上部分割扉６’の垂直帯板部６ｅとは対向するように配置されるとともに、下部分割扉６”の横長帯状部６ｒは、折り畳みコンテナーの内側に位置し、上部分割扉６’の垂直帯板部６ｅは、下部分割扉６”の横長帯状部６ｒに対して、折り畳みコンテナーの外側に位置するように構成されている。
【００３８】
上部分割扉６’に配設された第１ロック部材Ｋ１と上部分割側壁５’に配設された係止部材９とのロックを解除し、更に、上部分割扉６’に配設されたサイドロック部材Ｋ２のロック片ｋ１１と上部分割側壁５’の側枠５ｂに形成された凹部８とによるロック状態を解除して、図１１に示されているように、上部分割扉６’と下部分割扉６”とが、略面一状態に並設されている状態から、図１２に示されているように、上部分割扉６’を外側に回動させても、上部分割扉６’の下部を形成する垂直帯板部６ｅや水平帯板部６ｆ等が、箱型に組み立てられた折り畳みコンテナー内に入り込むようなことがないので、上部分割扉６’が、箱型に組み立てられた折り畳みコンテナーに収納されている物品に当接するようなことがなく、従って、上部分割扉６’の回動作業を容易に行うことができるとともに、上部分割扉６’が、箱型に組み立てられた折り畳みコンテナーに収納されている物品に当接して、物品が損傷するようなことが防止できる。
【００３９】
また、箱型に組み立てられた折り畳みコンテナーに収納されている物品の出し入れ作業の終了後、重ねられた状態の上部分割扉６’と下部分割扉６”を、略垂直に回動させ、次いで、下部分割扉６”に重ねられている上部分割扉６’を、垂直に回動させ、その後、上述したように、上部分割扉６’に形成されたロック部材収容空間Ｓ１に収容された第１ロック部材Ｋ１と上部分割側壁５’の上部枠５ａに形成された係止部材９とをロック状態とするとともに、上部分割側壁５’の側枠５ｂに形成された凹部８に、上部分割扉６’に配設されたサイドロック部材Ｋ２のロック片ｋ１１を挿入する。このような上部分割扉６’と下部分割扉６”との閉鎖作業において、下部分割扉６”に重ねられている上部分割扉６’を、垂直方向に回動させる際にも、上部分割扉６’の下部を形成する垂直帯板部６ｅや水平帯板部６ｆ等が、箱型に組み立てられた折り畳みコンテナー内に入り込むようなことがないので、上部分割扉６’が、箱型に組み立てられた折り畳みコンテナーに収納されている物品に当接するようなことがなく、従って、上部分割扉６’の垂直方向への回動作業を容易に行うことができるとともに、上部分割扉６’が、箱型に組み立てられた折り畳みコンテナーに収納されている物品に当接して、物品が損傷するようなことや、上部分割扉６’と下部分割扉６”とにより、物品を挟み込むようなことが防止できる。
【００４０】
図１５に示されているように、上部分割扉６’の下部６０が、箱型に組み立てられた折り畳みコンテナーの内側に位置し、また、下部分割扉６”の上部６１が、上部分割扉６’の下部６０に対して外側に位置するとともに、上部分割扉６’の下部６０がヒンジ部Ｈ２’、Ｈ２”より下方に長く延在していると、上部分割扉６’と下部分割扉６”とが、略面一状態に並設されている状態から、図１５に示されているように、上部分割扉６’を外側に回動させると、上部分割扉６’の下部６０が、箱型に組み立てられた折り畳みコンテナー内に入り込むことになり、従って、上部分割扉６’の下部６０が、箱型に組み立てられた折り畳みコンテナーに収納されている物品に当接し、上部分割扉６’の回動作業が困難になるとともに、上部分割扉６’が、箱型に組み立てられた折り畳みコンテナーに収納されている物品に当接して、物品が損傷することになる。
【００４１】
また、箱型に組み立てられた折り畳みコンテナーに収納されている物品の出し入れ作業の終了後、重ねられた状態の上部分割扉６’と下部分割扉６”を、垂直方向に回動させ、次いで、下部分割扉６”に重ねられている上部分割扉６’を、垂直方向に回動させた場合には、上部分割扉６’の下部６０が、箱型に組み立てられた折り畳みコンテナー内に入り込むので、上部分割扉６’が、箱型に組み立てられた折り畳みコンテナーに収納されている物品に当接し、物品を損傷したり、或いは、上部分割扉６’の下部６０と下部分割扉６”の上部６１とにより、物品を挟み込むというような問題が発生することになる。
【００４２】
また、下部分割扉６”には、下部分割扉６”の板部６ｑを、下部水平枠６ｔを超えて下方に延在することにより、ストッパー部１０が形成されており、また、下部分割側壁５”の下部枠５ｃを構成する上部水平枠５ｃ１と垂直板５ｃ２とにより形成される、箱型に組み立てられた折り畳みコンテナーの内側に位置する角部には、上記の下部分割扉６”に形成されたストッパー部１０が嵌合する切り欠き部段部１１が形成されている。そして、折り畳みコンテナーが、箱型に組み立てられた状態においては、下部分割扉６”に形成されたストッパー部１０が、箱型に組み立てられた折り畳みコンテナーの内側から、下部分割側壁５”の下部枠５ｃの折り畳みコンテナーの内側に位置する角部に形成された切り欠き部１１に嵌合するように構成されている。このように構成されているので、箱型に組み立てられた折り畳みコンテナーに収納された物品の重量により、下部分割側壁５”が外側に膨らもうとしても、下部分割扉６”に形成されたストッパー部１０が、下部分割側壁５”の下部枠５ｃの折り畳みコンテナーの内側に位置する角部に形成された切り欠き部１１に嵌合しているので、下部分割扉６”が、箱型に組み立てられた折り畳みコンテナーに収納された物品の重量により、外側に膨らんで損傷したり、或いは、下部分割扉６”と下部分割側壁５”とをヒンジ連結しているヒンジ部材Ｈ３’、Ｈ３”が損傷するようなことが防止できる。
【００４３】
【発明の効果】
本発明は、以上説明したように構成されているので、以下に記載されるような効果を奏する。
【００４４】
上部分割扉に配設されたロック部材を、水平方向に移動させることにより、上部分割側壁に配設された係止部材と上部分割扉に配設されたロック部材とのロック或いはロック解除を行うように構成したので、上部分割扉に、上方からの外力や内圧が加わっても、上部分割扉と上部分割側壁とのロック状態が簡単に解除されるようなことがなく、従って、不用意に、上部分割扉や下部分割扉が開くようなことが防止できる。
【００４５】
上部分割扉にサイドロック部材を配設するとともに、上部分割側壁の側枠には、サイドロック部材のロック片が挿入可能な凹部が形成されているので、折り畳みコンテナーに収納された物品により、上部分割扉や下部分割扉に内圧がかかっても、上部分割扉が大きく外側に膨らむようなことが防止できるとともに、上部分割扉に配設されたロック部材と上部分割側壁に配設された係止部材とによるロック機構と相まって、不用意に、上部分割扉や下部分割扉が開くようなことが確実に防止できる。
【００４６】
上部分割側壁に突設された嵌合突起が、上部分割扉に配設された嵌合枠に挿入されるように構成されているので、上部分割扉に上方から外力が加わっても、上部分割扉に配設されたロック部材と上部分割側壁に配設された係止部材とのロック機構と相まって、上部分割扉と上部分割側壁とのロック状態が解除されるようなことが防止でき、従って、不用意に、上部分割扉や下部分割扉が開くようなことが確実に防止できる。
【図面の簡単な説明】
【図１】図１は本発明の折り畳みコンテナーの箱型に組み立てられた状態の斜視図である。
【図２】図２は本発明の折り畳みコンテナーの折り畳み途中の斜視図である。
【図３】図３は本発明の折り畳みコンテナーが高さの低いコンパクトな状態に折り畳まれた状態の斜視図である。
【図４】図４は本発明の折り畳みコンテナーを構成する一方の分割側壁とはね上げ側壁の部分斜視図である。
【図５】図５は本発明の折り畳みコンテナーの正面図である。
【図６】図６は本発明の折り畳みコンテナーを構成する上部分割扉と下部分割扉の分解斜視図である。
【図７】図７は本発明の折り畳みコンテナーを構成する上部分割扉の分解斜視図である。
【図８】図８は本発明の折り畳みコンテナーの上部分割扉とサイドロック部材の部分分解斜視図である。
【図９】図９は本発明の折り畳みコンテナーを構成する上部フレームと上部分割扉等の部分斜視図である。
【図１０】図１０は本発明の折り畳みコンテナーを構成する上部フレームと上部分割扉の部分斜視図である。
【図１１】図１１は本発明の折り畳みコンテナーのはね上げ側壁に沿った垂直断面図である。
【図１２】図１２は図１１と同様の本発明の折り畳みコンテナーのはね上げ側壁に沿った垂直断面図である。
【図１３】図１３は本発明の箱型に組み立てられた状態の折り畳みコンテナーが段積みされた状態の斜視図である。
【図１４】図１４は図１１と同様の本発明の折り畳みコンテナーのはね上げ側壁に沿った垂直断面図である。
【図１５】図１５は従来の折り畳みコンテナーの課題を説明するための図１１と同様のはね上げ側壁に沿った垂直断面図である。
【符号の説明】
Ｋ１・・・・・・・第１ロック部材
Ｋ２・・・・・・・サイドロック部材
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
６’・・・・・・・上部分割扉
６”・・・・・・・下部分割扉
【図１】
0003875057.tif 000002
【図２】
0003875057.tif 000003
【図３】
0003875057.tif 000004
【図４】
0003875057.tif 000005
【図５】
0003875057.tif 000006
【図６】
0003875057.tif 000007
【図７】
0003875057.tif 000008
【図８】
0003875057.tif 000009
【図９】
0003875057.tif 000010
【図１０】
0003875057.tif 000011
【図１１】
0003875057.tif 000012
【図１２】
0003875057.tif 000013
【図１３】
0003875057.tif 000014
【図１４】
0003875057.tif 000015
【図１５】
0003875057.tif 000016